(57)【要約】【課題】天板を回動して主脚間にセットするときに、天板の先端が急激に落下することを防止するとともに、天板の回動軸側の反対側が跳ね上がることも防止して安全性の向上を図れる。【解決手段】上部が回動自在に軸着され、下方に向かって外側に傾斜する一対の梯子状の主脚３の一方に天板６の一端を回動自在に軸着し、天板６の他端側の主脚３に天板６を下方から支承する天板受け７ａを設けた可搬式作業台において、前記天板受け７ａ側の主脚に、天板６の回動による下降の速度を減速する手段１０を突設した。【選択図】        図１
2010126969.tif 000002
【特許請求の範囲】
【請求項１】
上部が回動自在に軸着され、下方に向かって外側に傾斜する一対の梯子状の主脚の一方に天板の一端を回動自在に軸着し、天板の他端側の主脚に天板を下方から支承する天板受けを設けた可搬式作業台において、前記天板受け側の主脚に、天板の回動による下降の速度を減速する手段を突設したことを特徴とする可搬式作業台。
【請求項２】
前記減速手段は、主脚に固定されるケース本体と、このケース本体にバネを介して弾装され天板側に出没自在に突出する押圧部材とで構成される請求項１記載の可搬式作業台。
【請求項３】
前記押圧部材の下部に天板の跳ね上がり防止部を形成した請求項２に記載の可搬式作業台。
【発明の詳細な説明】
【技術分野】
【０００１】
本発明は、建設工事現場、建築物の天井や壁面などの内外装作業、電気配線作業などの高所作業で使用する脚立状の可搬式作業台に関するものである。
【背景技術】
【０００２】
作業台として、従来、周知のように脚立があり、これは複数の踏桟を適宜間隔で取付けた梯子状の一対の主脚の上端を回動自在に軸着し、軸着部である最上段の部分に天板を設け、軸着部を回動することで一対の主脚を開閉して扁平に折り畳めるようにしている。
【０００３】
かかる脚立形状の可搬式作業台において、天板を主脚の軸着部である最上段に設けずに、これよりも少し下方位置で一対の主脚間に架設したものがある（例えば特許文献１参照）。
【０００４】
これは、図７にも示すように上部に手摺支柱部分４を延設した一対の支柱脚１間に踏桟２を適宜間隔で取付けて梯子状の主脚３を形成し、この主脚３の一対を対向させ上端を相互に回動自在に軸着し、支柱脚１の上部位置で主脚３間に天板６を折畳み自在に掛け渡し、手摺支柱部分４の上部に、一対の主脚３のそれぞれの外方に向けて突出する手摺５を折畳み自在に取付けたものである。
【０００５】
天板６の取付構造をさらに説明すると、天板６は、一端が一方の主脚３に回動自在に軸着され、他方の主脚３に設けた天板受け７ａで天板６の他端が支承されるものであり、他方の主脚３に一端を回動自在に軸着したステイ７の他端を天板６の下部に回動自在に軸着し、天板６をステイ７とともに主脚３間に折畳み可能としてある。
【０００６】
そして、使用時には、一対の主脚３を広げれば、これに追随してステイ７と天板６とが水平方向に回動して天板５の先端が天板受け７ａに載置する。これにより、天板６が主脚３間にセットされる。
【特許文献１】特開２００５−２７３３０４号公報
【発明の開示】
【発明が解決しようとする課題】
【０００７】
前記のように天板６をセットする場合、天板６は一方の主脚３に軸着された端部を回動軸として他端が下方に向けて回転し、最後に他端が天板受け７ａに載置するが、このとき、天板６の先端が自重でバタンと天板受け７ａに落ちることがある。
【０００８】
この天板６の引き降ろし作業は作業員が手で行うものであるが、このとき、天板６と天板受け７ａとの間に指を挟むおそれがあり、安全面で問題があった。
【０００９】
また、天板６を天板受け７ａの上にセットした後、作業員が天板６の回動軸側よりも外側に乗り、この部分に荷重がかかると、天板６の他端が跳ね上がるおそれもあり、危険を伴う。
【００１０】
本発明は、前記従来例の不都合を解消するものとして、天板を主脚間にセットするときに、天板の先端が急激に落下することを防止するとともに、天板の回動軸側の反対側が跳ね上がることも防止して安全性の向上を図れる可搬式作業台を提供するものである。
【課題を解決するための手段】
【００１１】
請求項１記載の本発明は、上部が回動自在に軸着され、下方に向かって外側に傾斜する一対の梯子状の主脚の一方に天板の一端を回動自在に軸着し、天板の他端側の主脚に天板を下方から支承する天板受けを設けた可搬式作業台において、前記天板受け側の主脚に、天板の回動による下降の速度を減速する手段を突設したことを要旨とするものである。
【００１２】
請求項１記載の本発明によれば、天板をセットするとき、一端の回動軸着部を中心にして天板の他端が下方に回動して天板受けで支承されるが、この天板の回動下降時に、天板は主脚に設けた減速手段によって下降速度が減速されるから、勢いよくバタンと天板受け上に落下することを防止できる。
【００１３】
請求項２記載の本発明は、前記減速手段は、主脚に固定されるケース本体と、このケース本体にバネを介して弾装され天板側に出没自在に突出する押圧部材とで構成されることを要旨とするものである。
【００１４】
請求項２記載の本発明によれば、主脚から押圧部材がバネの弾力によって天板の回動下降経路中に突出しているから、下降する天板は、この押圧部材をバネの弾力に抗して押圧しながら、かつ、押圧部材との間に摩擦抵抗を生じながら下降することになり、これにより下降速度が減速されて勢いよくバタンと天板受けに落下することを防止できる。
【００１５】
そして、かかるバネの弾力に抗して天板を降ろし天板受け上に押し込む作業は、作業員が行うものであるから、作業員自ら調整しながら行うことができ、天板と天板受けとの間に指を挟むことを防止できる。
【００１６】
請求項３記載の本発明は、前記押圧部材の下部に天板の跳ね上がり防止部を形成したことを要旨とするものである。
【００１７】
請求項３記載の本発明によれば、押圧部材を押して天板受け上に設置された天板は、押圧部材の下部に形成した跳ね上がり防止部によって上方から押さえられるから、作業台の使用中に、天板受け側と反対側の天板に上方から大きな荷重が加わっても、天板の天板受け側が跳ね上がることを防止でき、安全である。
【発明の効果】
【００１８】
以上述べたように本発明の可搬式作業台は、主脚に天板の回動下降速度を減速する手段を設けたから、天板を主脚間にセットするときに、天板の先端が急激に落下することを防止するとともに、天板のセット後は、前記減速手段で天板を上方から押さえることができるから、天板の回動軸側の反対側が跳ね上がることも防止して安全性の向上を図れるものである。
【発明を実施するための最良の形態】
【００１９】
以下、図面について本発明の実施形態を詳細に説明する。図１は本発明の可搬式作業台の実施形態を示す側面図、図２は同上正面図、図３は折畳んだ状態の側面図で、本発明の可搬式作業台も従来と同様、基本構成としては上部に手摺支柱部分４を延設した一対の支柱脚１間に踏桟２を適宜間隔で取付けて梯子状の主脚３を形成した。
【００２０】
本発明では、この主脚３の一対を対向させ、一方の主脚３を長尺に、他方の主脚３をこれよりも多少短尺に形成し、長尺な主脚３の上端よりも多少下方位置に短尺な主脚３の上端を折畳金物９で回動自在に軸着した。
【００２１】
かかる支柱脚１の上部位置で主脚３間に天板６を折畳み自在に掛け渡す。天板６は、一端が長尺な主脚３に回動自在に軸着され、他端が水平の使用状態で短尺な主脚３よりも外方に突出する幅に形成する。
【００２２】
図中７は、一端が天板６の下面に回動自在に軸着され、他端が短尺な主脚３に取付けてある踏桟２に回動自在に軸着されるアーム状の開き止め金具としてのステイを示す。
【００２３】
前記ステイ７が取付けられる踏桟２は、天板受け７ａを兼用するものであり、この場合、別途、天板受け７ａを設置する必要はない。
【００２４】
本発明では、短尺な主脚３の支柱脚１の内側で、回動して下降する天板６との摺動面に天板６の回動による下降の速度を減速する手段を突設した。設置位置は、天板受け７ａである踏桟２の近傍とし、天板受け７ａに天板６が載置された状態で天板６の上部がこの減速手段１０の下部にかかる位置とする。
【００２５】
前記減速手段１０は、図４〜図６に示すように主脚３の支柱脚１に固定されるチャンネル状のケース本体１１と、このケース本体１１内に配設したバネ１３を介して下部が外側に突出するように付勢された押圧部材１２とで構成され、この押圧部材１２は上部がケース本体１１内に回動自在に軸着されて下部が天板６側に出没自在に突出するように弾装される。
【００２６】
押圧部材１２は、ペダル状に形成され、外側面が天板６との減速摺動面１２ａとなり、この減速摺動面１２ａは下方に向かって外側に傾斜し、減速摺動面１２ａの下部を内側への傾斜部に形成して天板６の跳ね上がり防止面１２ｂとした。
【００２７】
長尺な主脚３の上端に前記天板６の突出方向と同じ方向に突出する手摺８を主脚３内から上下方向に出没自在に取付ける。
【００２８】
次に使用法について説明する。不使用時には図３に示すように長尺な主脚３と短尺な主脚３は折畳金物９を中心軸として平行に折畳まれている。この状態で、ステイ７と天板６は、一端がそれぞれの主脚３との回動軸着部を介して回動し、長尺な主脚３と短尺な主脚３との間で他端が上方に移動して扁平に折畳まれている。
【００２９】
また、減速手段１０は、図５の想像線で示すように押圧部材１２がバネ１３の弾力によってケース本体１１から下方が外方に突出している。
【００３０】
この状態から作業台を使用するには、長尺および短尺な主脚３を折畳金物９を介して図１において左右に回動し全体をハ字状に広げれば、主脚３の広がりにつ追随して天板６とステイ７もそれぞれの主脚３との軸着部を中心にして下方に回動し、長尺および短尺な主脚３，３の間で水平位置まで移動する。
【００３１】
この天板６が長尺な主脚３との軸着部を中心にして他端が回動し水平位置に向かって下降するとき、天板受け７ａである踏桟２に載置される直前の位置では、天板６の回動下降の経路中に突出している押圧部材１２の減速摺動面１２ａに天板６の側面がぶつかる。
【００３２】
このため、作業員は天板６をさらに下降させるには、押圧部材１２をバネ１３の弾力に抗してケース本体１１内に押し込むようにして天板６を押圧部材１２の減速摺動面１２ａにそって下降させることになり、バネ１３の弾力と減速摺動面１２ａとの摺動による摩擦抵抗によって天板６の下降速度が減速される。
【００３３】
かかる天板６の押し込み作業は、作業員が自ら行うものでもあり、様子をみながら行えるから、天板６と天板受け７ａとの間に指などを挟むおそれがない。
【００３４】
このようにして天板６を天板受け７ａの上にセットした後は、減速摺動面１２ａの下部に形成してある跳ね上がり防止面１２ｂの下方に天板６の側部の上端が入り込む。
【００３５】
この状態で、跳ね上がり防止面１２ｂへのバネ１３の弾力によって、跳ね上がり防止面１２ｂが天板６を上方から下方に向けて押さえるから、天板６に対して支柱脚１への軸着側よりも外側で上方から大きな荷重が加わっても、天板６の天板受け７ａへの支承側が跳ね上がることはなく、安全である。
【００３６】
なお、前記実施形態では減速手段１０は、支柱脚１の側部にこれと平行に設置し、天板１の側部で減速摺動面１２ａを押すようにしたが、これに限定されるものではなく、天板受け７ａの上にこれと平行（水平）に設置して、天板６の下面で減速摺動面を上方から押すようにすることもできる。
【図面の簡単な説明】
【００３７】
【図１】本発明の可搬式作業台の実施形態を示す側面図である。
【図２】本発明の可搬式作業台の実施形態を示す正面図である。
【図３】本発明の可搬式作業台の実施形態を示す折畳んだ状態の側面図である。
【図４】本発明の可搬式作業台の実施形態を示す要部である減速手段を設けた部分の正面図である。
【図５】本発明の可搬式作業台の実施形態を示す要部である減速手段の説明図である。
【図６】本発明の可搬式作業台の実施形態を示す要部である減速手段の正面図である。
【図７】従来の可搬式作業台の斜視図である。
【符号の説明】
【００３８】
１  支柱脚                      ２  踏桟
３  主脚                        ４  手摺支柱部分
５  手摺                        ６  天板
７  ステイ                      ７ａ  天板受け
８  手摺
９  折畳金物                    １０  減速手段
１１  ケース本体                １２  押圧部材
１２ａ  減速摺動面              １２ｂ  跳ね上がり防止面
１３  バネ
【図１】
2010126969.tif 000003
【図２】
2010126969.tif 000004
【図３】
2010126969.tif 000005
【図４】
2010126969.tif 000006
【図５】
2010126969.tif 000007
【図６】
2010126969.tif 000008
【図７】
2010126969.tif 000009